(57)【要約】【課題】ユーザによる誤操作を軽減することのできる制御システム、携帯端末装置、被制御装置、制御方法および制御プログラムを提供すること。【解決手段】制御システムの携帯端末装置５００は、第１のモード（被制御装置操作モード）、および、第２のモード（自端末操作モード）のうち現状の操作モードに応じて、入力部１００からの信号に基づく指示内容を判定するための指示判定部１０８と、第２のモードの場合に、判定された指示内容に対応する処理を実行するための処理実行部１１０と、操作モードが第１のモードから第２のモードに変更されたか否かを判定するための変更判定部１０２と、操作モードの変更があったと判定された場合に、振動、光および音のうち少なくとも１つにより、操作モードの変更を報知する処理を行なうための報知処理部１０６とを含む。【選択図】図５
2010259046.tif 000002
【特許請求の範囲】
【請求項１】
携帯端末装置、および、前記携帯端末装置と通信可能な被制御装置を備えた制御システムであって、
前記携帯端末装置は、
指示を受付けるための入力手段と、
前記被制御装置を制御する第１のモード、および、前記携帯端末装置に対する処理を行なう第２のモードのうち現状の操作モードに応じて、前記入力手段からの信号に基づく指示内容を判定するための第１の判定手段と、
前記第１のモードの場合に、判定された指示内容に対応する制御信号を前記被制御装置に送信するための第１の通信手段と、
前記第２のモードの場合に、判定された指示内容に対応する処理を実行するための第１の処理実行手段と、
操作モードが前記第１のモードから前記第２のモードに変更されたか否かを判定するための第２の判定手段と、
操作モードの変更があったと判定された場合に、操作モードの変更を報知する処理を行なうための報知処理手段と、
前記報知処理手段による処理に応じて、振動、光および音のうち少なくとも１つを出力するための第１の出力手段とを含み、
前記被制御装置は、
前記第１の通信手段からの前記制御信号を受信するための第２の通信手段と、
受信した前記制御信号に対応する処理を実行するための第２の処理実行手段とを含む、制御システム。
【請求項２】
前記第２の通信手段は、さらに、前記携帯端末装置に対して特定の情報を送信し、
前記第１の通信手段は、さらに、前記特定の情報を受信し、
前記第１の処理実行手段は、さらに、前記第１の通信手段が受信した前記特定の情報を処理し、
前記第２の判定手段は、前記特定の情報が受信された場合に、操作モードが前記第２のモードに変更されたと判定する、請求項１に記載の制御システム。
【請求項３】
前記被制御装置は、前記第２の通信手段が受信した前記制御信号が、前記特定の情報の送信指示であるか否かを判定するための第３の判定手段をさらに含み、
前記第２の処理実行手段は、前記制御信号が前記特定の情報の送信指示であると判定された場合に、前記第２の通信手段より前記携帯端末装置に対して前記特定の情報を送信する処理を実行する、請求項２に記載の制御システム。
【請求項４】
前記報知処理手段は、前記第２の判定手段により操作モードの変更があったと判定された場合に、さらに、前記第１の通信手段より前記被制御装置に対して操作対象の変更を示す変更信号を送信する処理を行ない、
前記被制御装置は、
前記変更信号を受信した場合に、前記携帯端末装置での操作モードが前記第２のモードに変更されたことを報知する処理を行なうための報知処理手段と、
前記報知処理手段による処理に応じて、所定の情報を出力するための第２の出力手段とをさらに含む、請求項１〜３のいずれかに記載の制御システム。
【請求項５】
受信した制御信号に対応する処理を行なう被制御装置と通信可能な携帯端末装置であって、
指示を受付けるための入力手段と、
前記被制御装置を制御する第１のモード、および、前記携帯端末装置に対する処理を行なう第２のモードのうち現状の操作モードに応じて、前記入力手段からの信号に基づく指示内容を判定するための第１の判定手段と、
前記第１のモードの場合に、判定された指示内容に対応する制御信号を前記被制御装置に送信するための通信手段と、
前記第２のモードの場合に、判定された指示内容に対応する処理を実行するための処理実行手段と、
操作モードが前記第１のモードから前記第２のモードに変更されたか否かを判定するための第２の判定手段と、
操作モードの変更があったと判定された場合に、操作モードの変更を報知する処理を行なうための報知処理手段と、
前記報知処理手段による処理に応じて、振動、光および音のうち少なくとも１つを出力するための出力手段とを備える、携帯端末装置。
【請求項６】
前記通信手段は、さらに、前記被制御装置から特定の情報を受信し、
前記処理実行手段は、さらに、前記通信手段が受信した前記特定の情報を処理し、
前記第２の判定手段は、前記特定の情報が受信された場合に、操作モードが前記第２のモードに変更されたと判定する、請求項５に記載の携帯端末装置。
【請求項７】
前記報知処理手段は、前記第２の判定手段により操作モードの変更があったと判定された場合に、さらに、前記通信手段より前記被制御装置に対して操作対象の変更を示す変更信号を送信する処理を行なう、請求項５または６に記載の携帯端末装置。
【請求項８】
携帯端末装置と通信可能な被制御装置であって、前記携帯端末装置は、前記携帯端末装置での操作モードが、前記被制御装置を制御する第１のモードから前記携帯端末装置に対する処理を行なう第２のモードに変更されたか否かを判定し、かつ、操作モードの変更があったと判定された場合に、前記被制御装置に対して操作対象の変更を示す変更信号を送信するものであり、
前記携帯端末装置から、制御信号および前記変更信号を受信するための通信手段と、
前記制御信号が受信された場合に、前記制御信号に対応する処理を実行するための処理実行手段と、
前記変更信号が受信された場合に、前記携帯端末装置での操作モードが前記第２のモードに変更されたことを報知する処理を行なうための報知処理手段と、
前記報知処理手段による処理に応じて、所定の情報を出力するための出力手段とを備える、被制御装置。
【請求項９】
前記出力手段は、前記所定の情報を表示するための表示手段を含む、請求項８に記載の被制御装置。
【請求項１０】
受信した制御信号に対応する処理を行なう被制御装置と通信可能な携帯端末装置を制御するための制御方法であって、
指示信号を受付けるステップと、
前記被制御装置を制御する第１のモード、および、前記携帯端末装置に対する処理を行なう第２のモードのうち現状の操作モードに応じて、前記指示信号が表わす指示内容を判定するステップと、
前記第１のモードの場合に、判定された指示内容に対応する制御信号を前記被制御装置に送信するステップと、
前記第２のモードの場合に、判定された指示内容に対応する処理を実行するステップと、
操作モードが前記第１のモードから前記第２のモードに変更されたか否かを判定するステップと、
操作モードの変更があったと判定された場合に、振動、光および音のうち少なくとも１つにより、操作モードの変更を報知するステップとを備える、制御方法。
【請求項１１】
携帯端末装置と通信可能な被制御装置を制御するための制御方法であって、前記携帯端末装置は、前記携帯端末装置での操作モードが、前記被制御装置を制御する第１のモードから前記携帯端末装置に対する処理を行なう第２のモードに変更されたか否かを判定し、かつ、操作モードの変更があったと判定された場合に、前記被制御装置に対して操作対象の変更を示す変更信号を送信するものであり、
前記携帯端末装置から、制御信号および前記変更信号を受信するステップと、
前記制御信号が受信された場合に、前記制御信号に対応する処理を実行するステップと、
前記変更信号が受信された場合に、前記携帯端末装置での操作モードが前記第２のモードに変更されたことを報知するステップとを備える、制御方法。
【請求項１２】
受信した制御信号に対応する処理を行なう被制御装置と通信可能な携帯端末装置を制御するための制御プログラムであって、
指示信号を受付けるステップと、
前記被制御装置を制御する第１のモード、および、前記携帯端末装置に対する処理を行なう第２のモードのうち現状の操作モードに応じて、前記指示信号が表わす指示内容を判定するステップと、
前記第１のモードの場合に、判定された指示内容に対応する制御信号を前記被制御装置に送信するステップと、
前記第２のモードの場合に、判定された指示内容に対応する処理を実行するステップと、
操作モードが前記第１のモードから前記第２のモードに変更されたか否かを判定するステップと、
操作モードの変更があったと判定された場合に、振動、光および音のうち少なくとも１つにより、操作モードの変更を報知するステップとを含む、制御プログラム。
【請求項１３】
携帯端末装置と通信可能な被制御装置を制御するための制御プログラムであって、前記携帯端末装置は、前記携帯端末装置での操作モードが、前記被制御装置を制御する第１のモードから前記携帯端末装置に対する処理を行なう第２のモードに変更されたか否かを判定し、かつ、操作モードの変更があったと判定された場合に、前記被制御装置に対して操作対象の変更を示す変更信号を送信するものであり、
前記携帯端末装置から、制御信号および前記変更信号を受信するステップと、
前記制御信号が受信された場合に、前記制御信号に対応する処理を実行するステップと、
前記変更信号が受信された場合に、前記携帯端末装置での操作モードが前記第２のモードに変更されたことを報知するステップとを含む、制御プログラム。
【発明の詳細な説明】
【技術分野】
【０００１】
本発明は、制御システム、携帯端末装置、被制御装置、制御方法および制御プログラムに関し、特に、携帯端末装置と、携帯端末装置からの制御信号に対応する処理を実行可能な被制御装置とを備えた制御システム、被制御装置を制御可能な携帯端末装置、携帯端末装置からの制御信号に対応する処理を実行可能な被制御装置、ならびに、このような携帯端末装置，被制御装置の制御方法および制御プログラムに関する。
【背景技術】
【０００２】
近年、携帯電話などの携帯端末装置において、他の機器や装置を操作するリモコン（リモートコントロール）機能が搭載されているものが数多く提案されている。リモコンアプリケーション（以下「リモコンアプリ」ともいう）において、多くの機能が搭載される場合、複数の画面（状態）が用意され、その画面に応じた機能操作を行なえるようになっている端末装置がある。
【０００３】
また、従来、リモコン操作で不適切な操作があった場合に振動するリモコン装置が提案されている（たとえば特許文献１）。
【０００４】
また、特許文献２には、本体から伝達される信号により振動体を振動させることにより、操作者に振動ショックを与えるＴＶゲーム機が開示されている。
【先行技術文献】
【特許文献】
【０００５】
【特許文献１】特開２００２−１３５８６５号公報
【特許文献２】実開平５−８６３８７号公報
【発明の概要】
【発明が解決しようとする課題】
【０００６】
リモコンアプリが起動されている間ユーザが操作ボタンを操作すると、通常、対象の被制御装置の遠隔制御が行なわれる。一方で、リモコンアプリの種類あるいは制御対象の装置の種類によって、リモコンアプリの状態が（一時的に）変化する場合がある。具体的には、操作ボタンの割当が変化する場合がある。
【０００７】
一般的な装置では、このようにリモコンアプリの状態が変化すると、画面が変化する。したがって、ユーザは画面を見ることで、アプリの状態の変化に気付くことができる。
【０００８】
しかしながら、通常、リモコン操作を行なっている場合、ユーザはリモコン（携帯端末装置）から目を離すことが多い。そのため、携帯端末装置のリモコンアプリの状態が変わったとしても、ユーザはそのことに気付きにくい。リモコンアプリの状態が変わったことに気付かない場合、誤操作の原因となる。特に、操作対象が被制御装置から自端末に変わった場合は、気付かないうちに自端末の状態を意図しないものにしてしまう可能性が高くなる。
【０００９】
特許文献１の装置では、ボタンを押下して初めて振動するため、予め誤操作しそうな場合を通知できるものではない。また、特許文献２では、被制御装置（本体）がリモコンを振動するべきタイミングをすべて解釈する必要があり、リモコン側（携帯端末装置）にて、特定の状態になったか否かを判定することができない。
【００１０】
本発明は、上記のような問題を解決するためになされたものであって、その目的は、ユーザによる誤操作を軽減することのできる制御システム、携帯端末装置、被制御装置、制御方法および制御プログラムを提供することである。
【課題を解決するための手段】
【００１１】
この発明のある局面に従う制御システムは、携帯端末装置、および、携帯端末装置と通信可能な被制御装置を備えた制御システムであって、携帯端末装置は、指示を受付けるための入力手段と、被制御装置を制御する第１のモード、および、携帯端末装置に対する処理を行なう第２のモードのうち現状の操作モードに応じて、入力手段からの信号に基づく指示内容を判定するための第１の判定手段と、第１のモードの場合に、判定された指示内容に対応する制御信号を被制御装置に送信するための第１の通信手段と、第２のモードの場合に、判定された指示内容に対応する処理を実行するための第１の処理実行手段と、操作モードが第１のモードから第２のモードに変更されたか否かを判定するための第２の判定手段と、操作モードの変更があったと判定された場合に、操作モードの変更を報知する処理を行なうための報知処理手段と、報知処理手段による処理に応じて、振動、光および音のうち少なくとも１つを出力するための第１の出力手段とを含む。被制御装置は、第１の通信手段からの制御信号を受信するための第２の通信手段と、受信した制御信号に対応する処理を実行するための第２の処理実行手段とを含む。
【００１２】
好ましくは、第２の通信手段は、さらに、携帯端末装置に対して特定の情報を送信し、第１の通信手段は、さらに、特定の情報を受信し、第１の処理実行手段は、さらに、第１の通信手段が受信した特定の情報を処理し、第２の判定手段は、特定の情報が受信された場合に、操作モードが第２のモードに変更されたと判定する。
【００１３】
好ましくは、被制御装置は、第２の通信手段が受信した制御信号が、特定の情報の送信指示であるか否かを判定するための第３の判定手段をさらに含み、第２の処理実行手段は、制御信号が特定の情報の送信指示であると判定された場合に、第２の通信手段より携帯端末装置に対して特定の情報を送信する処理を実行する。
【００１４】
好ましくは、報知処理手段は、第２の判定手段により操作モードの変更があったと判定された場合に、さらに、第１の通信手段より被制御装置に対して操作対象の変更を示す変更信号を送信する処理を行ない、被制御装置は、変更信号を受信した場合に、携帯端末装置での操作モードが第２のモードに変更されたことを報知する処理を行なうための報知処理手段と、報知処理手段による処理に応じて、所定の情報を出力するための第２の出力手段とをさらに含む。
【００１５】
この発明の他の局面に従う携帯端末装置は、受信した制御信号に対応する処理を行なう被制御装置と通信可能な携帯端末装置であって、指示を受付けるための入力手段と、被制御装置を制御する第１のモード、および、携帯端末装置に対する処理を行なう第２のモードのうち現状の操作モードに応じて、入力手段からの信号に基づく指示内容を判定するための第１の判定手段と、第１のモードの場合に、判定された指示内容に対応する制御信号を被制御装置に送信するための通信手段と、第２のモードの場合に、判定された指示内容に対応する処理を実行するための処理実行手段と、操作モードが第１のモードから第２のモードに変更されたか否かを判定するための第２の判定手段と、操作モードの変更があったと判定された場合に、操作モードの変更を報知する処理を行なうための報知処理手段と、報知処理手段による処理に応じて、振動、光および音のうち少なくとも１つを出力するための出力手段とを備える。
【００１６】
好ましくは、通信手段は、さらに、被制御装置から特定の情報を受信し、処理実行手段は、さらに、通信手段が受信した特定の情報を処理し、第２の判定手段は、特定の情報が受信された場合に、操作モードが第２のモードに変更されたと判定する。
【００１７】
好ましくは、報知処理手段は、第２の判定手段により操作モードの変更があったと判定された場合に、さらに、通信手段より被制御装置に対して操作対象の変更を示す変更信号を送信する処理を行なう。
【００１８】
この発明のさらに他の局面に従う被制御装置は、携帯端末装置と通信可能な被制御装置であって、携帯端末装置は、携帯端末装置での操作モードが、被制御装置を制御する第１のモードから携帯端末装置に対する処理を行なう第２のモードに変更されたか否かを判定し、かつ、操作モードの変更があったと判定された場合に、被制御装置に対して操作対象の変更を示す変更信号を送信するものであり、携帯端末装置から、制御信号および変更信号を受信するための通信手段と、制御信号が受信された場合に、制御信号に対応する処理を実行するための処理実行手段と、変更信号が受信された場合に、携帯端末装置での操作モードが第２のモードに変更されたことを報知する処理を行なうための報知処理手段と、報知処理手段による処理に応じて、所定の情報を出力するための出力手段とを備える。
【００１９】
好ましくは、出力手段は、所定の情報を表示するための表示手段を含む。
この発明のさらに他の局面に従う制御方法は、受信した制御信号に対応する処理を行なう被制御装置と通信可能な携帯端末装置を制御するための制御方法であって、指示信号を受付けるステップと、被制御装置を制御する第１のモード、および、携帯端末装置に対する処理を行なう第２のモードのうち現状の操作モードに応じて、指示信号が表わす指示内容を判定するステップと、第１のモードの場合に、判定された指示内容に対応する制御信号を被制御装置に送信するステップと、第２のモードの場合に、判定された指示内容に対応する処理を実行するステップと、操作モードが第１のモードから第２のモードに変更されたか否かを判定するステップと、操作モードの変更があったと判定された場合に、振動、光および音のうち少なくとも１つにより、操作モードの変更を報知するステップとを備える。
【００２０】
この発明のさらに他の局面に従う制御方法は、携帯端末装置と通信可能な被制御装置を制御するための制御方法であって、携帯端末装置は、携帯端末装置での操作モードが、被制御装置を制御する第１のモードから携帯端末装置に対する処理を行なう第２のモードに変更されたか否かを判定し、かつ、操作モードの変更があったと判定された場合に、被制御装置に対して操作対象の変更を示す変更信号を送信するものであり、携帯端末装置から、制御信号および変更信号を受信するステップと、制御信号が受信された場合に、制御信号に対応する処理を実行するステップと、変更信号が受信された場合に、携帯端末装置での操作モードが第２のモードに変更されたことを報知するステップとを備える。
【００２１】
この発明のさらに他の局面に従う制御プログラムは、受信した制御信号に対応する処理を行なう被制御装置と通信可能な携帯端末装置を制御するための制御プログラムであって、指示信号を受付けるステップと、被制御装置を制御する第１のモード、および、携帯端末装置に対する処理を行なう第２のモードのうち現状の操作モードに応じて、指示信号が表わす指示内容を判定するステップと、第１のモードの場合に、判定された指示内容に対応する制御信号を被制御装置に送信するステップと、第２のモードの場合に、判定された指示内容に対応する処理を実行するステップと、操作モードが第１のモードから第２のモードに変更されたか否かを判定するステップと、操作モードの変更があったと判定された場合に、振動、光および音のうち少なくとも１つにより、操作モードの変更を報知するステップとを含む。
【００２２】
この発明のさらに他の局面に従う制御プログラムは、携帯端末装置と通信可能な被制御装置を制御するための制御プログラムであって、携帯端末装置は、携帯端末装置での操作モードが、被制御装置を制御する第１のモードから携帯端末装置に対する処理を行なう第２のモードに変更されたか否かを判定し、かつ、操作モードの変更があったと判定された場合に、被制御装置に対して操作対象の変更を示す変更信号を送信するものであり、携帯端末装置から、制御信号および変更信号を受信するステップと、制御信号が受信された場合に、制御信号に対応する処理を実行するステップと、変更信号が受信された場合に、携帯端末装置での操作モードが第２のモードに変更されたことを報知するステップとを含む。
【発明の効果】
【００２３】
本発明によると、携帯端末装置は、第１の操作モード（被制御装置を制御するモード）中に、操作モードが第２のモード（自端末に対する処理を行なうモード）に変更されたと判定する。そして、このような変更があったと判定された場合に、振動、光および音のうち少なくとも１つによりその旨ユーザに報知される。
【００２４】
したがって、ユーザは、操作モード（リモコンアプリの状態）の変化、すなわち操作対象が被制御装置から自端末に変更されたことに容易に気付くことができる。その結果、リモコン操作中の誤操作を軽減することができる。
【図面の簡単な説明】
【００２５】
【図１】本発明の実施の形態における制御システムの構成例を示す図である。
【図２】本発明の実施の形態における携帯端末装置の外観を正面から示した図である。
【図３】本発明の実施の形態における携帯端末装置のハードウェア構成例を示すブロック図である。
【図４】本発明の実施の形態における被制御装置のハードウェア構成例を示すブロック図である。
【図５】本発明の実施の形態における制御システムの機能構成を示す機能ブロック図である。
【図６】本発明の実施の形態における制御システムの動作を示すフローチャートである。
【図７】本発明の実施の形態の制御システムにより実行される動作の具体例を示す図である。
【図８】本発明の実施の形態の変形例１における制御システムの動作を示すフローチャートである。
【図９】本発明の実施の形態の変形例１の制御システムにより実行される動作の具体例を示す図である。
【図１０】本発明の実施の形態の変形例２における制御システムの動作を示すフローチャートである。
【図１１】本発明の実施の形態の変形例２における制御システムにより実行される動作の具体例を示す図である。
【発明を実施するための形態】
【００２６】
本発明の実施の形態について図面を参照しながら詳細に説明する。なお、図中同一または相当部分には同一符号を付してその説明は繰返さない。
【００２７】
＜構成について＞
（制御システムの構成）
図１を参照して、本実施の形態における制御システム１０００の構成について説明する。
【００２８】
制御システム１０００は、携帯端末装置（以下「携帯端末」と略す）５００と、被制御装置６００とを含む。
【００２９】
携帯端末５００は、携帯電話である。なお、携帯端末５００は、携帯電話に限定されることなく、通信機能を備え、携帯可能な装置であればどのような装置（たとえば、ＰＤＡ（Personal Digital Assistance）、ＰＣ（Personal Computer））でもよい。
【００３０】
携帯端末５００は、電話網６０と、無線によりデータ通信可能である。電話網６０は、たとえば、携帯電話のための電話網である。
【００３１】
被制御装置６００は、携帯端末５００から送信される信号により制御される装置である。被制御装置６００は、一例として、テレビジョン受信機である。なお、被制御装置６００は、テレビジョン受信機に限定されることなく、携帯端末５００から送信される信号により制御される装置（情報出力装置）であればどのような装置であってもよい。被制御装置６００は、たとえば、映像記録再生装置、音楽再生装置、ＰＣ等であってもよい。
【００３２】
携帯端末５００は、無線または有線により、被制御装置６００とデータ通信を行なう。携帯端末５００は、無線または有線により、ネットワーク７０とデータ通信を行なう機能を有する。ネットワーク７０は、インターネットなどの広域なネットワークである。
【００３３】
また、被制御装置６００は、無線または有線により、ネットワーク７０とデータ通信を行なう機能を有する。また、ネットワーク７０は、無線または有線により、電話網６０とデータ通信可能である。したがって、携帯端末５００は、電話網６０を介して、ネットワーク７０とデータ通信可能である。
【００３４】
（携帯端末装置）
次に、携帯端末５００について詳細に説明する。
【００３５】
図２は、携帯端末５００の外観を正面から示した図である。図２を参照して、携帯端末５００は、表示部５３０と、音声出力部５７０と、ＬＥＤ（Light Emitting Diode）５７６と、撮像部５７８とを備える。
【００３６】
表示部５３０は、文字や画像等を表示する機能を有する。表示部５３０には、文字や画像等を表示する表示面が設けられる。表示部５３０は、ＬＣＤパネル（Liquid Crystal Display Panel）を使用した装置である。なお、表示部５３０は、上記以外の表示方式のパネルを使用した装置であってもよい。
【００３７】
表示部５３０の表示面の解像度は、横４８０（ドット）×縦８００（ドット）である。なお、表示部５３０の表示面の解像度は、横４８０（ドット）×縦８００（ドット）に限定されることなく、他の解像度であってもよい。
【００３８】
また、表示部５３０は、ユーザが、表示面に直接触れることで、情報入力可能なタッチパネル機能を有する。表示部５３０は、ユーザが表示面にタッチした位置情報を、後述する制御部５１０へ送信する。制御部５１０は、受信した位置情報に基づいて、所定の処理を行なう。
【００３９】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４０】
ＬＥＤ５７６は、携帯端末５００で行なわれる処理に応じて、光による報知を行なう。たとえば、ＬＥＤ５７６は、電話の着信があった場合、光を点滅させる。
【００４１】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４２】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４３】
撮像処理では以下の処理が行なわれる。まず、撮像部５７８が、撮像対象となる被写体に反射されて撮像レンズに入射した光、または、光源（たとえば、照明）からの光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００４４】
携帯端末５００は、さらに、操作部５４０を備える。操作部５４０は、複数のボタン（たとえば、カーソルボタン、テンキーなど）を含む。
【００４５】
操作部５４０は、操作部５４０に含まれる複数のボタンのうち、短押操作または長押操作されたボタンに対応するボタン信号を、後述する制御部５１０へ送信する。すなわち、操作部５４０は、ユーザが携帯端末５００を操作するためのインターフェースである。なお、本実施の形態において、ユーザによる所定時間（たとえば１秒）未満の押下を「短押操作」、当該所定時間以上の押下を「長押操作」というものとする。
【００４６】
携帯端末５００は、さらに、音声入力部５７４と、記録媒体挿入部５５０Ａとを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、携帯端末５００内の後述する制御部５１０へ送信する。記録媒体挿入部５５０Ａは、携帯端末５００に後述する記録媒体を挿入する部分である。
【００４７】
図３は、携帯端末５００の内部構成を示したブロック図である。なお、図３には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００４８】
図３を参照して、携帯端末５００は、さらに、制御部５１０と、一時記憶部５２２と、記憶部５２０とを備える。
【００４９】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、その他の各種データ等が記憶されている。
【００５０】
制御部５１０は、記憶部５２０に記憶されたプログラム１８０に従って、携帯端末５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００５１】
制御部５１０は、操作部５４０に含まれる、前述した複数のボタンのうち、短押操作または長押操作があったボタンに対応するボタン信号を、操作部５４０から受信する。制御部５１０は、受信したボタン信号に応じた処理を行なう。
【００５２】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００５３】
携帯端末５００は、さらに、ＶＤＰ５３２（Video Display Processor）と、ＶＲＡＭ（Video Random Access Memory）５３６とを備える。
【００５４】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００５５】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００５６】
携帯端末５００は、さらに、記録媒体アクセス部５５０とを備える。
記録媒体アクセス部５５０は、記録媒体５５５が前述の記録媒体挿入部５５０Ａから携帯端末５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００５７】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００５８】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００５９】
記録媒体５５５は、ＳＤ（Secure Digital（登録商標））メモリカードである。なお、記録媒体５５５は、ＳＤメモリーカード（登録商標）に限定されることなく、データを不揮発的に記録可能なその他の媒体であってもよい。
【００６０】
携帯端末５００は、さらに、通信部５６０と、通信部５６２とを備える。
通信部５６０は、制御部５１０とデータの送受信を行なう。また、通信部５６０は、被制御装置６００と有線または無線で、データの送受信を行なう機能を有する。
【００６１】
通信部５６０は、ＵＳＢ（登録商標）（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００６２】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００６３】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、被制御装置６００と無線でデータ通信を行なう。
【００６４】
通信部５６２は、制御部５１０と、データの送受信を行なう。通信部５６２は、有線技術を利用して、ネットワーク７０とデータ通信を行なう機能を有する。有線技術は、たとえば、イーサネット（登録商標）に基づく技術である。この場合、通信部５６２は、たとえば、ＬＡＮケーブルを介して、ネットワーク７０とデータ通信を行なうことができる。なお、有線技術は、イーサネット（登録商標）に基づく技術に限定されることなく、その他の有線技術であってもよい。
【００６５】
また、通信部５６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部５６２は、無線により、ネットワーク７０とデータ通信を行なうことができる。
【００６６】
携帯端末５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００６７】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００６８】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、携帯端末５００の位置を大まかに把握することができる。
【００６９】
また、通信部５６６は、ＧＰＳ（Global Positioning System）機能を有する。ＧＰＳ機能とは、人口衛星と通信して、携帯端末５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００７０】
携帯端末５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【００７１】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００７２】
携帯端末５００は、さらに、音声出力部５７２を備える。音声出力部５７２は、携帯端末５００の外部に設けられる。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００７３】
制御部５１０は、前述した音声出力部５７０、音声入力部５７４とデータ通信する。
制御部５１０が、音声データを音声出力部５７０へ送信すると、音声出力部５７０は、制御部５１０から受信した音声データに基づく音声をスピーカから出力する。
【００７４】
ユーザが音声入力部５７４に含まれるマイクに対して音声を発すると、音声入力部５７４は、マイクにより取得した音声を音声データに変換して、音声データを、制御部５１０へ送信する。
【００７５】
制御部５１０は、ブザー５７５とデータ通信する。ブザー５７５は、制御部５１０からの制御指示に基づいて、通知音を発生する。なお、ブザー５７５の機能は、音声出力部５７２が担ってもよい。
【００７６】
制御部５１０は、前述したＬＥＤ５７６および撮像部５７８の各々とデータ通信する。ＬＥＤ５７６は、制御部５１０からの制御指示に基づいて、光を発する。
【００７７】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００７８】
携帯端末５００は、さらに、振動部５７９を備える。振動部５７９は、制御部５１０からの制御指示に基づいて、振動部５７９自身が振動することにより、携帯端末５００を振動させる機能を有する。振動部５７９は、たとえば、電話の着信、電子メールの受信時に、制御部５１０からの制御指示に基づいて、携帯端末５００を振動させる。
【００７９】
（被制御装置）
次に、被制御装置６００について詳細に説明する。
【００８０】
図４は、被制御装置６００の内部構成を示したブロック図である。図４を参照して、被制御装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部６３０は、上記以外の表示方式のパネルを使用した装置であってもよい。
【００８１】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１９２０（ドット）×縦１０８０（ドット）の解像度である。なお、表示部６３０の解像度は、横１９２０（ドット）×縦１０８０（ドット）に限定されることなく、他の解像度であってもよい。
【００８２】
音声出力部６７０は、被制御装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００８３】
被制御装置６００は、さらに、制御部６１０と、一時記憶部６２２と、記憶部６２０とを備える。
【００８４】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、その他の各種データ等が記憶されている。
【００８５】
制御部６１０は、記憶部６２０に記憶されたプログラム１８０Ａに従って、被制御装置６００内の各部に対する各種処理や、演算処理等を行なう機能を有する。制御部６１０は、前述の制御部５１０と同様なものであるので詳細な説明は繰返さない。
【００８６】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰返さない。
【００８７】
被制御装置６００は、さらに、アンテナ６０２と、チューナ６０５と、データ処理部６０７とを備える。
【００８８】
アンテナ６０２は、チューナ６０５と接続されている。チューナ６０５は、制御部６１０により指示された周波数の放送信号を、アンテナ６０２を介して受信する。チューナ６０５は、ディジタル放送に基づく放送信号およびアナログ放送に基づく放送信号を受信する機能を有する。チューナ６０５は、受信した放送信号を、データ処理部６０７へ送信する。
【００８９】
データ処理部６０７は、制御部６１０から、表示部６３０に画像を表示させるための表示指示を受信すると、受信した放送信号から画像データを取得し、当該画像データを、後述するＶＤＰ６３２へ送信する。ＶＤＰ６３２は、画像データを受信すると、表示部６３０に画像データに基づく画像（動画像または静止画像）を表示させる。以下においては、チューナ６０５が受信した放送信号に基づく画像であって、かつ、表示部６３０に表示される画像を、ＴＶ画像ともいう。
【００９０】
データ処理部６０７が受信した放送信号が、アナログ放送に基づく信号である場合であって、かつ、制御部６１０から、録画処理を行なうための録画指示を受信した場合、データ処理部６０７は、放送信号から取得した画像データおよび音声データを圧縮して、録画データとして、記憶部６２０に記憶させる。また、データ処理部６０７が受信した放送信号が、ディジタル放送に基づく信号である場合であって、かつ、制御部６１０から、録画処理を行なうための録画指示を受信した場合、データ処理部６０７は、放送信号から取得した画像データおよび音声データを、録画データとして、記憶部６２０に記憶させる。
【００９１】
記憶部６２０に記憶される録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。以下においては、記憶部６２０に記憶される録画データを、コンテンツともいう。
【００９２】
被制御装置６００は、さらに、ＶＤＰ６３２と、ＶＲＡＭ６３６とを備える。
ＶＲＡＭ６３６は、画像データを一時的に記憶する機能を有する。
【００９３】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【００９４】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００９５】
被制御装置６００は、さらに、操作部６４０を備える。
操作部６４０は、図示されない複数のボタンを含む。複数のボタンは、被制御装置６００の外部に設けられている。複数のボタンのうち、いずれかのボタンがユーザにより押下操作されると、操作部６４０は、押下操作されたボタンに対応するボタン信号を、制御部６１０へ送信する。制御部６１０は、受信したボタン信号に基づいて、所定の処理を行なう。
【００９６】
被制御装置６００は、さらに、通信部６６０と、通信部６６２とを備える。
通信部６６０は、制御部６１０とデータの送受信を行なう。また、通信部６６０は、携帯端末５００と有線または無線で、データの送受信を行なう機能を有する。なお、通信部６６０は、前述の通信部５６０と同様な構成および機能を有するので詳細な説明は繰返さない。
【００９７】
通信部６６２は、制御部６１０と、データの送受信を行なう。通信部６６２は、有線技術を利用して、ネットワーク７０とデータ通信を行なう機能を有する。有線技術は、たとえば、イーサネット（登録商標）に基づく技術である。この場合、通信部６６２は、たとえば、ＬＡＮケーブルを介して、ネットワーク７０とデータ通信を行なうことができる。
なお、有線技術は、イーサネット（登録商標）に基づく技術に限定されることなく、その他の有線技術であってもよい。
【００９８】
また、通信部６６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部６６２は、無線により、ネットワーク７０とデータ通信を行なうことができる。
【００９９】
したがって、本実施の形態における被制御装置６００は、ネットワーク７０から、通信部６６２を介して、プログラムのダウンロード処理を行ない、記憶部６２０に格納することもできる。この場合、当該ダウンロードしたプログラムは、プログラム１８０Ａである。
【０１００】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１０１】
被制御装置６００は、さらに、ＲＣ信号受信部６８０を備える。ＲＣ信号受信部６８０は、リモートコントローラー３００から出力される、被制御装置６００を制御するためのリモートコントロール信号（以下、ＲＣ信号ともいう）を受信する機能を有する。ＲＣ信号受信部６８０は、受信したＲＣ信号を制御部６１０へ送信する。制御部６１０は、受信したＲＣ信号に応じて、対応する処理を行なう。
【０１０２】
なお、以下においては、携帯端末５００の通信部５６０から送信される、被制御装置６００を制御するためのリモートコントロール信号も、ＲＣ信号という。この場合、通信部６６０が、携帯端末５００から送信されたＲＣ信号を受信し、受信したＲＣ信号を制御部６１０へ送信する。制御部６１０は、受信したＲＣ信号に応じて、対応する処理を行なう。
【０１０３】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１０４】
制御部６１０は、ブザー６７５とデータ通信する。ブザー６７５は、制御部６１０からの制御指示に基づいて、通知音を発生する。なお、ブザー６７５の機能は、音声出力部６７０が担ってもよい。 
【０１０５】
制御部６１０は、ＬＥＤ６７６とデータ通信する。ＬＥＤ６７６は、制御部６１０からの制御指示に基づいて、光を発する。
【０１０６】
被制御装置６００は、さらに、計時動作を行なう計時部６７９を備える。
（機能構成）
図５は、本発明の実施の形態における制御システムの機能構成を示す機能ブロック図である。
【０１０７】
まず、携帯端末５００の機能について説明する。
携帯端末５００は、その機能として、入力部１００と、変更判定部１０２と、報知処理部１０６と、指示判定部１０８と、処理実行部１１０と、モード記憶部１１２と、割当記憶部１１４とを含む。なお、上述のプログラム１８０には、リモコンアプリ（リモートコントロールアプリケーションプログラム）が含まれているものとする。これらの機能ブロックのうち、変更判定部１０２、報知処理部１０６、指示判定部１０８、および、処理実行部１１０の機能は、制御部５１０が当該リモコンアプリを起動することにより実現されてもよいし、これらのうち少なくとも一つは、ハードウェアにより実現されてもよい。
【０１０８】
入力部１００は、ユーザからの指示を受付ける。入力部１００は、たとえば、図３に示した操作部５４０、および、タッチパネルとして機能する表示部５３０（の少なくとも一部）を含む。
【０１０９】
モード記憶部１１２は、現在の操作モードを記憶する。つまり、被制御装置操作モードか、自端末操作モードのいずれかを示す識別情報としてモード識別フラグを記憶する。たとえば、モード識別フラグは、被制御装置操作モードの場合「０」、自端末操作モードの場合「１」とされる。なお、「被制御装置操作モード」は、被制御装置を制御（操作）するモードを表わし、「自端末操作モード」は、携帯端末５００に対する処理を行なうモードを表わしている。
【０１１０】
割当記憶部１１４は、入力部１００として機能するための各ボタン（ソフトボタンも含む）に割当る指示を特定するための情報を記憶する。具体的には、たとえば、ボタンの位置範囲データそれぞれと対応付けて、複数の指示内容特定データが記憶されている。
【０１１１】
モード記憶部１１２および割当記憶部１１４は、たとえば、図３に示した一時記憶部５２２内の所定の領域に対応する。
【０１１２】
変更判定部１０２は、モード記憶部１１２を定期的に監視し、リモコンアプリ起動中に、操作モードが変更されたか否かを判定する。操作モードが自端末操作モードに変更されたと判定された場合、通知信号を報知処理部１０６に送信する。
【０１１３】
なお、操作モードが変更されたか否かを判定する方法は、これに限らず、ユーザからの操作があったタイミングや被制御装置６００から信号を受信したタイミングでもよい。
【０１１４】
報知処理部１０６は、操作モードが被制御装置操作モードから自端末操作モードに変更されたことを、ユーザに報知するための処理を行なう。具体的には、たとえば、振動部５７９に制御信号を送信し、携帯端末５００を振動させる。また、ＬＥＤ５７６に制御信号を送信し、ＬＥＤ５７６を発光させる。また、ブザー５７５に制御信号を送信し、通知音を発生させる。
【０１１５】
報知処理部１０６は、さらに、被制御装置６００に対し、操作対象の変更を示す変更信号（操作対象変化の情報）を送信する処理を行なってもよい。
【０１１６】
指示判定部１０８は、入力部１００からの信号に基づいて、ユーザからの指示内容を判定する。指示内容の判定には、割当記憶部１１４に記憶された情報が用いられる。指示判定部１０８は、判定した指示内容を、処理実行部１１０に出力する。また、判定した指示内容に応じて、モード記憶部１１２のモード識別フラグを書換える処理も行なうことができる。
【０１１７】
処理実行部１１０は、指示判定部１０８からの指示内容に応じて、各種処理を実行する。処理実行部１１０は、所定の場合に（たとえば、被制御装置６００より特定の情報が送信された場合に）、モード記憶部１１２のモード識別フラグを書換える処理を行なう。また、表示画面の変化等に従い、割当記憶部１１４の情報を書換える処理も行なう。なお、ボタンに割当られる指示の変更は、公知の手法により実現できるため、詳細な説明は行なわない。
【０１１８】
次に、被制御装置６００の機能について説明する。
被制御装置６００は、その機能として、信号判定部２０２と、報知処理部２０４と、処理実行部２０６とを含む。なお、上述のプログラム１８０Ａには、リモコン機器からの信号に応じた処理を実現するための制御プログラムが含まれているものとする。これらの機能は、制御部６１０が当該制御プログラムを起動することにより実現されてもよいし、これらのうち少なくとも一つは、ハードウェアにより実現されてもよい。
【０１１９】
信号判定部２０２は、通信部６６０から得られた携帯端末５００からの操作信号が要求する処理を判定する。そして、判定結果を処理実行部２０６に出力する。また、信号判定部２０２は、携帯端末５００より、操作対象変化の情報を受信したと判断した場合には、報知処理部２０４に通知する。
【０１２０】
報知処理部２０４は、ＶＤＰ６３２に制御信号を送信し、表示部６３０の所定の表示領域に、所定の情報を表示することで、操作モードが携帯端末５００に変更された旨ユーザに通知する。具体的には、たとえば、表示部６３０の画面に所定のアイコン（以下「通知アイコン」ともいう）が表示される。また、報知処理部２０４は、ブザー６７５に制御信号を送信し、通知音を発生させる。報知処理部２０４は、計時部６７９からの計時信号に基づいて、所定の時間が経過したと判断すると、報知処理を終了する。
【０１２１】
処理実行部２０６は、信号判定部２０２からの指示に基づいて各種処理を実行する。処理実行部２０６は、また、携帯端末５００に対し、出力中の情報に関連する情報を自発的に送信してもよい。
【０１２２】
＜動作について＞
次に、本実施の形態における制御システムの動作について説明する。
【０１２３】
図６は、本発明の実施の形態における制御システムの動作を示すフローチャートである。図６のフローチャートに示す処理は、予めリモコンアプリとして記憶部５２０に格納されており、制御部５１０がこのアプリケーションプログラムを読み出して実行することにより発揮される。
【０１２４】
図６を参照して、はじめ、携帯端末５００のリモコンアプリの状態は、被制御装置６００をリモコン操作する状態すなわち、被制御装置操作モードである（ステップＳ１０２）。したがって、モード記憶部１１２のモード識別フラグは０である。また、被制御装置６００は、画面表示中（電源ＯＮ状態）である（ステップＳ２０２）。
【０１２５】
その状態で、携帯端末５００の指示判定部１０８は、ユーザによる操作があったか否かを判断する（ステップＳ１０４）。つまり、入力部１００からユーザからの指示信号が入力されたか否かを判断する。操作がなければ（ステップＳ１０４においてＮＯ）、ステップＳ１０２に戻る。
【０１２６】
操作があったと判断した場合（ステップＳ１０４においてＹＥＳ）、指示判定部１０８は、割当記憶部１１４に記憶された情報に基づいて、今回の指示内容を判定する。この段階では、操作モードは被制御装置操作モードである。したがって、指示内容が判定されると、処理実行部１１０は、指示内容に応じた操作信号（制御信号）を、通信部５６０を介して被制御装置６００に送信する（ステップＳ１０６）。
【０１２７】
被制御装置６００の通信部６６０は、携帯端末５００から操作信号を受信する（ステップＳ２０４）。信号判定部２０２は、操作信号が示す指示が、特定の情報の送信指示であるか否かを判断する（ステップＳ２０６）。特定の情報の送信指示であると判断した場合（ステップＳ２０６においてＹＥＳ）、ステップＳ２１０に進む。一方、特定の情報の送信指示ではないと判断した場合（ステップＳ２０６においてＮＯ）、ステップＳ２０８に進む。
【０１２８】
「特定の情報」とは、携帯端末５００がその情報を受信することにより、自端末に対する処理が必要となるような情報である。すなわち、携帯端末５００がその情報を受信することにより、自端末操作モードに移行することになる情報あるいはなり得る情報である。特定の情報の具体例については後述する。
【０１２９】
ステップＳ２０８において、処理実行部２０６は、対応の処理を実行する。
ステップＳ２１０において、処理実行部２０６は、携帯端末５００に対し、要求のあった特定の情報を送信する。具体的には、処理実行部２０６は、通信部６６０を介して、携帯端末５００に対し、特定の情報を送信する。
【０１３０】
携帯端末５００の通信部５６０が、被制御装置６００から情報を受信すると（ステップＳ１０８においてＹＥＳ）、処理実行部１１０は、受信情報を処理する（ステップＳ１１０）。具体的には、受信情報を表示部５３０に表示する処理を行なう。これによりタッチパネルとして機能する表示部５３０上のボタンの位置および／あるいは定義が変更されるため、同時に、処理実行部１１０は、割当記憶部１１４に記憶された情報を書き換える。
【０１３１】
なお、処理実行部１１０は、同一モード中であっても、画面が変わるごとに適宜、割当記憶部１１４の情報を書き換えているものとする。
【０１３２】
処理実行部１１０は、さらに、モード記憶部１１２の情報を、被制御装置操作モードから自端末操作モードに書き換える。つまり、モード識別フラグが１にセットされる。
【０１３３】
被制御装置６００からの情報の受信がなければ（ステップＳ１０８においてＮＯ）、ステップＳ１０２に戻る。
【０１３４】
次に、携帯端末５００の変更判定部１０２は、操作対象が自端末になったか否かを判断する（ステップＳ１１２）。具体的には、モード記憶部１１２に記憶されているモード識別フラグが０から１に変更されたか、すなわち、被制御装置操作モードから自端末操作モードに変更された否かを判断する。モードの変更がなければ（ステップＳ１１２においてＮＯ）、ステップＳ１０２に戻る。
【０１３５】
これに対し、モードが変更されたと判断した場合（ステップＳ１１２においてＹＥＳ）、報知処理部１０６は、振動部５７９に制御信号を送信し、振動動作を行なう（ステップＳ１１４）。また、ブザー５７５に制御信号を送信し、通知音を出力する（ステップＳ１１６）。さらに、一定時間、表示部５３０の画面に操作対象の変更を通知してもよい（ステップＳ１１８）。なお、さらに、ＬＥＤ５７６を発光させてもよい。また、報知処理部１０６は、被制御装置６００に、操作対象変化の情報を送信する（ステップＳ１２０）。
【０１３６】
被制御装置６００の信号判定部２０２は、ステップＳ２０８またはＳ２１０の処理の後、携帯端末５００から操作対象変化の信号を受信したか否かを判断する（ステップＳ２１２）。当該信号を受信しなければ（ステップＳ２１２においてＮＯ）、ステップＳ２０２に戻る。これに対し、当該信号を受信したと判断した場合（ステップＳ２１２においてＹＥＳ）、報知処理部２０４は、ブザー６７５に制御信号を送信し、通知音を出力する（ステップＳ２１４）。また、ＶＤＰ６３２に制御信号を送信し、画面に通知アイコンを表示する（ステップＳ２１６）。
【０１３７】
次に、被制御装置６００の信号判定部２０２は、携帯端末５００から何らかの信号を受信したか否かを判断する（ステップＳ２１８）。何らかの信号を受信したと判断した場合（ステップＳ２１８においてＹＥＳ）、ステップＳ２２２に進む。携帯端末５００から何も信号を受信していないと判断した場合（ステップＳ２１８においてＮＯ）、ステップＳ２２０に進む。
【０１３８】
ステップＳ２２０において、報知処理部２０４は、通知アイコンを表示してから一定時間経過したか否かを判断する。一定時間経過していなければ、ステップＳ２１８に戻る。一方、一定時間経過したと判断された場合（ステップＳ２２０においてＹＥＳ）、ステップＳ２２２に進む。
【０１３９】
ステップＳ２２２において、報知処理部２０４は、通知アイコンの表示を消去する。ステップＳ２２２の処理が終わると、ステップＳ２０２に戻る。
【０１４０】
携帯端末５００は、上述のステップＳ１２０の処理の後、被制御装置６００をリモコン操作する状態になる操作（以下「復帰操作」ともいう）がされたか否か、すなわち、操作モードが被制御装置操作モードに復帰されたか否かを判断する（ステップＳ１２２）。具体的には、次のような手順により上記判断がなされる。まず、指示判定部１０８は、割当記憶部１１４内の情報と入力部１００からの信号（たとえば位置データ）とに基づいて、復帰操作がされたか否かを判断する。指示判定部１０８は、復帰操作と判定すると、モード記憶部１１２内のモード情報を、自端末操作モードから被制御装置操作モードに書き換える。つまり、モード識別フラグが０にされる。変更判定部１０２は、定期的にモード記憶部１１２内の情報を監視しているため、操作モードが被制御装置操作モードに復帰されたことを検知する。
【０１４１】
なお、復帰操作以外の操作がされている場合には、指示判定部１０８は判定した指示内容を処理実行部１１０に通知し、処理実行部１１０によって、指示内容に応じた処理が実行されているものとする。また、画面の変化に従い、割当記憶部１１２内の情報の書き換えも適宜行なっているものとする。
【０１４２】
復帰操作があったことが検知されると（ステップＳ１２２にてＹＥＳ）、処理は、はじめのステップＳ１０２に戻される。
【０１４３】
以上の処理が、リモコンアプリが終了されるまで繰返される。
なお、図６に示した処理の順序は一例であり、上記順序に限定されるものではない。たとえば、ステップＳ１１４からステップＳ１２０の処理は、並列的に実行されてもよいし、直列的である場合には、その順序は問わない。
【０１４４】
また、本実施の形態では、携帯端末５００において、振動、音および光により操作対象の変更を通知することとしたが、振動および音のいずれかによる報知がされればよい。
【０１４５】
ここでは、リモコンアプリ実行中の一時的な操作モードの変更を例に説明したが、リモコンアプリの終了や中断のタイミングも操作モードの変更として報知してもよい。
【０１４６】
＜具体例について＞
図７は、本発明の実施の形態の制御システムにより実行される動作の具体例を示す図である。
【０１４７】
この例では、被制御装置６００はテレビであるものと想定する。そして、携帯端末５００をリモコンとして使用しているユーザが、テレビのライブ放送を視聴中に、テレビの画面を汚さず（ライブ放送以外の情報を表示することなく）、番組表を確認して、録画予約をしたいというシーンを想定している。
【０１４８】
図７（Ａ）には、被制御装置操作モードにおける携帯端末５００および被制御装置６００の画面例が示される。図７（Ｂ）には、自端末操作モードにおける携帯端末５００および被制御装置６００の画面例が示される。
【０１４９】
図７（Ａ）を参照して、携帯端末５００は、被制御装置操作モードである（ステップＳ１０２）。テレビである被制御装置６００は、ライブ放送を表示している（ステップＳ２０２）。このような状態（ｉ）において、携帯端末５００の表示部５３０には、画面Ｂ１１のような画面が表示されている。このような状態の場合、ユーザは、タッチパネル操作でテレビを遠隔操作することができる。
【０１５０】
画面Ｂ１１には、選局に用いられるボタン３０１，３０２と、音量調整を行なうためのボタン３０３，３０４と、手元予約を行なうための手元予約ボタン３０５とが表示されている。手元予約ボタン３０５は、携帯端末５００にて番組表を表示できるように、テレビに番組表の送信を要求する信号を出力する指示を受付けるためのボタンである。
【０１５１】
ユーザにより選局ボタン３０１，３０２または音量ボタン３０３，３０４が操作されたとする（ステップＳ１０４）。そうすると、状態（ｉｉ）として、携帯端末５００は、被制御装置６００に操作信号を送信する（ステップＳ１０６）。被制御装置６００は、操作信号に応じた処理を実行する（ステップＳ２０８）。
【０１５２】
その後、状態（ｉｉｉ）として、ユーザが、手元予約ボタン３０５を押下する（ステップＳ１０４）。そうすると、状態（ｉｖ）として、携帯端末５００は、被制御装置６００に対して、特定の情報として番組表を要求する（ステップＳ１０６）。
【０１５３】
被制御装置６００は、番組表の送信を要求する制御信号を受付ける（ステップＳ２０６）と、公知の手法により番組表情報を生成する。そして、状態（ｖ）において、被制御装置６００は、生成した番組表情報を、携帯端末５００に送信する（ステップＳ２１０）。
【０１５４】
状態（ｖｉ）において、携帯端末５００は、番組表を受信する（ステップＳ１０８）。そうすると、携帯端末５００は、状態（ｖｉｉ）として、それまでの画面Ｂ１３を次に示す画面Ｂ１４に切換える（ステップＳ１１０）。
【０１５５】
これにより、携帯端末５００での操作モードは、自端末操作モードに変更される。
状態（ｉ）から（ｖｉ）までの間、被制御装置６００には、ライブ放送のみが表示されている。
【０１５６】
図７（Ｂ）を参照して、携帯端末５００は、自端末操作モードに一時移行されると、状態（ｖｉｉｉ）として、受信した番組表を表示するとともに（画面Ｂ１４）、振動および通知音を出力する（ステップＳ１１０，Ｓ１１４，Ｓ１１６）。これにより、ユーザは、手元の画面を見るように促される。
【０１５７】
画面Ｂ１４には、各番組を特定するための情報と、表示を元の画面Ｂ１１に戻すためのボタン３１２とが表示されている。
【０１５８】
自端末操作モードに一時移行されると、さらに（同時に）、状態（ｉｘ）に示すように、携帯端末５００は、被制御装置６００に対し、操作対象の変化の通知（変更信号の送信）を行なう（ステップＳ１２０）。
【０１５９】
そうすると、被制御装置６００は、状態（ｘ）として、表示部６３０に画面Ａ１２に示されるようなアイコン（シンボル画像）４０１を表示し、通知音を発生する（ステップＳ２１４，Ｓ２１６）。これにより、より確実に、ユーザに手元を見るように促すことができる。なお、被制御装置６００の表示部６３０に表示する情報は、アイコン４０１のようなものに限定されない。たとえば、所定のメッセージを表示してもよい。
【０１６０】
その後、状態（ｘｉ）として、ユーザが携帯端末５００のタッチパネルを操作して、ある番組の予約操作を行なうとする。そうすると、表示は画面Ｂ１５に移行される。画面Ｂ１５には、対象の番組を特定するための情報と、対象の番組を録画予約するためのボタン３１０と視聴予約するためのボタン３１１と戻るボタン３１２とが表示されている。
【０１６１】
状態（ｘｉｉ）において、画面Ｂ１５に示されるボタン３１０およびボタン３１１のうち、録画予約のためのボタン３１０が押下されたとする（ステップＳ１２２）。そうすると、携帯端末５００は、被制御装置６００に対し、録画予約を指示する操作信号を送信する（状態（ｘｉｉｉ））。
【０１６２】
被制御装置６００は、携帯端末５００から操作信号を受信する（ステップＳ２１８）。そうすると、状態（ｘｉｖ）において、被制御装置６００は、アイコン４０１を消去する（ステップＳ２２２）。また、画面Ａ１３に示されるように、「予約を登録しました」というメッセージが表示されてもよい。
【０１６３】
このように録画予約が完了すると、再び、操作モードは、被制御装置操作モードに復帰される。つまり、被制御装置６００の表示部６３０には、再度、たとえば図７（Ａ）の画面Ａ１１のようにライブ放送が表示される。また、携帯端末５００の表示部５３０は、再度、たとえば図７（Ａ）の画面Ｂ１１のように、被制御装置６００を遠隔操作するためのボタンが表示される。
【０１６４】
以上のように、本実施の形態によると、被制御装置操作モード中に、自端末操作モードに移行された場合に、振動や音により、操作対象が変化したことを通知する。したがって、ユーザは、リモコン操作対象の被制御装置６００の画面を見ていたとしても、ユーザは容易に操作対象の変化に気付くことができる。
【０１６５】
また、振動や音により、ユーザに手元（操作ボタン）を見ることを促すことができるため、常に表示画面を確認しておかなければならないというユーザの負担を軽減することができる。また、その結果、ユーザは、スムーズに操作を続けられる。
【０１６６】
また、振動や音による通知が行なわれることで、知らないうちに自端末を操作してしまうことがなくなる。その結果、ユーザの誤操作を軽減することができる。ただし、周りの状況によっては通知をしない方が望ましい場合もあるため、種々の通知をまとめて通知するかしないか、もしくは、種々の通知のそれぞれについて通知するかしないかを設定できるように、携帯端末５００を構成することが好ましい。
【０１６７】
なお、本具体例では、特定の情報として番組表を用いたが、特定の情報は、番組表のようなコンテンツ情報に限定されるものではない。たとえば、既に携帯端末５００に送信された番組表を、携帯端末５００の表示部５３０に表示させるコマンドなど、特定の情報は、操作モードを自端末操作モードに変更する必要があることを示す情報であれば何でもよい。
【０１６８】
＜変形例１＞
上記実施の形態では、携帯端末からの制御信号（操作信号）をトリガーとして、被制御装置から特定の情報が送信された。しかし、特定の情報は、携帯端末からの制御信号に関係なく、被制御装置が自発的に送信するものであってもよい。このような形態を、本発明の実施の形態の変形例１として説明する。
【０１６９】
なお、制御システムの構成および基本的な動作は、上記実施の形態と同様である。したがって、以下に、上記実施の形態と異なる部分のみ説明する。
【０１７０】
図８は、本発明の実施の形態の変形例１における制御システムの動作を示すフローチャートである。
【０１７１】
図８を参照して、上記実施の形態の処理と比較して、被制御装置６００のステップＳ２０２とステップＳ２０４との間に、ステップＳ２０３０およびステップＳ２０３２の処理が挿入される。
【０１７２】
ステップＳ２０３０において、被制御装置６００の処理実行部２０６は、特定の情報として、表示中のコンテンツについての関連情報の送信が必要か否かを判断する。必要でなければ、ステップＳ２０４に進む。一方、関連情報の送信が必要と判断されると（ステップＳ２０３０においてＹＥＳ）、ステップＳ２０３２に進む。
【０１７３】
ステップＳ２０３２において、処理実行部２０６は、通信部６６０を介して、関連情報を送信する。関連情報が送信されると、携帯端末５００側の処理のステップＳ１０８において、被制御装置６００から情報を受信したと判断される。
【０１７４】
次に、本変形例における具体的動作について説明する。
図９は、本発明の実施の形態の変形例１の制御システムにより実行される動作の具体例を示す図である。
【０１７５】
この例では、被制御装置６００はネット対応テレビであるものと想定する。そして、テレビでインターネットサービスの動画が視聴されている際に、サービスのＰＵＳＨ型で特定映像（関連情報）が携帯端末５００に送信されるというシーンを想定している。
【０１７６】
図９（Ａ）には、被制御装置操作モードにおける携帯端末５００および被制御装置６００の画面例が示される。図９（Ｂ）には、自端末操作モードにおける携帯端末５００および被制御装置６００の画面例が示される。
【０１７７】
図９（Ａ）を参照して、携帯端末５００では、はじめ、画面Ｂ２１に示されるように、再生ボタン３２１、巻戻しボタン３２２、速送りボタン３２３、停止ボタン３２４および一時停止ボタン３２５が表示されている。
【０１７８】
ユーザは、画面Ｂ２１に対して、タッチパネル操作で再生操作が可能である（状態（ｉ））。ユーザにより、いずれかのボタンが押下されると、対応する操作信号が被制御装置６００に送信される（状態（ｉｉ））。被制御装置６００では、画面Ａ２１に示されるように、ネット動画が表示されている。
【０１７９】
ネット動画再生中に、被制御装置６００において、関連情報の送信が必要と判断されたとする（ステップＳ２０３０）。たとえば、再生中の動画に関係する特典映像（関連情報の一例）が存在すると判断されたとする。特典映像は、ユーザの操作に関係なく、テレビ（被制御装置６００）経由で携帯端末５００に送信されるものである。
【０１８０】
その場合、状態（ｉｉｉ）として、携帯端末５００に対し関連情報が送信される（ステップＳ２０３２）。
【０１８１】
携帯端末５００は、関連情報を受信する（状態（ｉｖ））。そうすると、携帯端末５００の表示は、それまでの画面Ｂ２２から、図９（Ｂ）の画面Ｂ２４のような画面に切換えられる（状態（ｖ））。
【０１８２】
携帯端末５００は、関連情報を受信したので、画面Ｂ２４に示されるように、特典映像のお知らせを表示するとともに、振動および音を出力する（状態（ｖｉ））。同時に、携帯端末５００は、操作対象の変化の通知を被制御装置６００に行なう（状態（ｖｉｉ））。
【０１８３】
被制御装置６００では、画面Ａ２２に示されるように、所定のアイコン４０１を表示し、音を発生する（状態（ｖｉｉｉ））。
【０１８４】
携帯端末５００では、ユーザにより、特典映像の再生が選択されたとする（状態（ｉｘ））。そうすると、画面Ｂ２５に示されるように、携帯端末５００において特典映像の再生が開始される（状態（ｘ））。
【０１８５】
被制御装置６００では、アイコン４０１を表示してから、一定時間が経過したと判断されると、画面Ａ２３に示されるように、アイコン４０１を消去する（状態（ｘｉ））。
【０１８６】
その後、特典映像の再生が終了される（状態（ｘｉｉ））。そうすると、携帯端末５００の表示部５３０は、再度、たとえば図９（Ａ）の画面Ｂ２１のように、被制御装置６００を遠隔操作するためのボタンが表示される。
【０１８７】
以上のように、本実施の形態の変形例１のように、携帯端末５００を用いたユーザ自身の操作に関わらず被制御装置６００から特定の情報が送信された場合であっても、操作モードの変更をユーザに通知することができる。その結果、本変形例においても、上述の実施の形態における効果と同様の効果を得ることができる。なお、被制御装置６００が自発的に特定の情報を送信する場合だけでなく、リモートコントローラー３００を用いた操作の結果、被制御装置６００が特定の情報を送信する場合も同様である。
【０１８８】
なお、上記実施の形態と変形例１とを組合わせてもよい。
＜変形例２＞
上記実施の形態およびその変形例１では、携帯端末と被制御装置との間で、双方向通信が行なわれたが、携帯端末から被制御装置に対して片方向通信が行なわれるシステムであってもよい。このような形態を、本発明の実施の形態の変形例２として説明する。
【０１８９】
なお、制御システムの構成および基本的な動作は、上記実施の形態と同様である。したがって、以下に、上記実施の形態と異なる部分のみ説明する。
【０１９０】
図１０は、本発明の実施の形態の変形例２における制御システムの動作を示すフローチャートである。
【０１９１】
図１０を参照して、実施の形態のフローチャートと比較すると、携帯端末５００側の処理において、ステップＳ１０４とステップＳ１０６との間に、ステップＳ１０５０およびＳ１０５２の処理が挿入される。また、被制御装置６００側では、ステップＳ２０６およびＳ２１０の処理が削除されている。その他の処理は実施の形態と同様である。
【０１９２】
ステップＳ１０５０では、指示判定部１０８は、入力部１００から受付けた指示信号が、自端末への操作であるか否かを判断する。本変形例では、被制御装置操作モード中の入力部１００のボタンには、自端末での処理を指示するための特別なボタンが含まれている。
【０１９３】
自端末への操作でなければ（ステップＳ１０５０においてＮＯ）、ステップＳ１０６に進む。これに対し、ユーザにより上記特別なボタンが指示され、自端末への操作と判断されると（ステップＳ１０５０においてＹＥＳ）、ステップＳ１０５２に進む。
【０１９４】
ステップＳ１０５２において、処理実行部１１０は、指示内容に対応する処理を実行する。また、自端末への操作であったので、指示判定部１０８は、モード記憶部１１２のモード識別フラグを１にセットし、モード情報を書き換える。当該処理の後、処理はステップＳ１１２に移される。
【０１９５】
本変形例ではステップＳ１０６の後、ステップＳ１０８（被制御装置６００からの情報の受信の有無の判断）およびステップＳ１１０（受信情報の処理）が行なわれることなく、ステップＳ１１２に進む。
【０１９６】
なお、ステップＳ１０５０にて自端末への操作があったと判断されて（ステップＳ１０５０でＹＥＳ）ステップＳ１１２に移行した場合、変更判定部１０２は必ず、操作対象は自端末となったと判定する。
【０１９７】
図１０のフローチャートでは、ステップＳ１０５２で対応の処理を実行してからステップＳ１１２移行の処理が行なわれるような記載となっているが、実際には、ステップＳ１０５２の処理と、ステップＳ１１２〜Ｓ１２０の処理とは並行に行われてよい。
【０１９８】
また、自端末への操作ではない場合（ステップＳ１０５０でＮＯ）でも、モード記憶部１１２のモード識別フラグを１にセットし、モード情報を書き換えられるようにしてもよい。
【０１９９】
次に、本変形例における具体的動作について説明する。
図１１は、本発明の実施の形態の変形例２における制御システムにより実行される動作の具体例を示す図である。
【０２００】
この例においても、被制御装置６００はテレビであるものと想定する。そして、上記実施の形態と同様に、携帯端末５００をリモコンとして使用しているユーザが、テレビのライブ放送を視聴中に、テレビの画面を汚さず（ライブ放送以外の情報を表示することなく）、番組表を確認して、録画予約をしたいというシーンを想定している。
【０２０１】
図１１（Ａ）には、自端末操作モードにおける携帯端末５００および被制御装置６００の画面例が示される。図１１（Ｂ）には、被制御装置操作モードにおける携帯端末５００および被制御装置６００の画面例が示される。
【０２０２】
図１１（Ａ）を参照して、上記実施の形態で用いた図７（Ａ）と比較すると、状態（ｉ）から状態（ｉｉｉ）までは同一である。本変形例における手元予約ボタン３０５は、携帯端末５００にて番組表を表示する指示を受付けるための（テレビに信号を送信しない）特別なボタンである。
【０２０３】
本変形例では、番組表の取得を自端末内で行なうため、実施の形態の状態（ｉｖ）から状態（ｖｉ）の処理および操作は行なわれない。
【０２０４】
図１１（Ｂ）は、図７（Ｂ）と同様である。したがって、図１１（Ｂ）に示した各状態についての説明は繰返さない。
【０２０５】
このように、被制御装置に対して片方向通信のみ行なう携帯端末であったとしても、被制御装置操作モード中に、自端末操作モードに移行した場合には、振動や音により操作対象が変更されたことを通知することができる。その結果、本変形例においても、上述の実施の形態における効果と同様の効果を得ることができる。
【０２０６】
なお、本変形例では、ユーザの操作をトリガーとして操作モードが変更される例について説明したが、限定的ではない。たとえば、スケジューラによる画面の切換えなど、ユーザによる操作と関わり無く操作モードが変更される場合にも適用可能である。さらに、携帯端末５００および被制御装置６００以外の別の機器から送信された信号および／またはデータを携帯端末５００が受信したことに基づき、携帯端末５００の操作モードを変更するように、携帯端末５００を構成してもよい。当該別の機器として、たとえば、インターネット上のサーバ装置が挙げられる。
【０２０７】
上記実施の形態およびその変形例では、携帯端末５００の処理実行部１１０が被制御装置６００から特定の情報を受付けた場合に、モード識別フラグを変更したり、指示判定部１０８がユーザより特別なボタン（自端末への処理を指示するボタン）が操作されたと判定された場合に、モード識別フラグを変更したりした。しかしながら、このような（１つの）モード識別フラグによりモードの変更を判定するものに限定されない。
【０２０８】
たとえば、携帯端末５００にて表示される複数の端末画面データそれぞれに対応付けて、複数のモード識別フラグを用意してもよい。その上で、携帯端末５００は現在のモードを監視し、状態（端末画面）が変わるタイミングで、モードの変更があったか否かを判定してもよい。
【０２０９】
または、モード識別フラグを用いた判定に限定されない。たとえば、入力部１００の全てのボタン操作に対応する反応（アクション）として制御信号（リモコン信号）が送信される定義があるかどうかを確認し、そのような定義が１つも無ければ自端末操作モードと判定してもよい。
【０２１０】
また、本発明の携帯端末および被制御装置が行なう、制御方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０２１１】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０２１２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０２１３】
提供されるプログラム製品は、ハードディスクなどのプログラム格納部にインストールされて実行される。なお、プログラム製品は、プログラム自体と、プログラムが記憶された記憶媒体とを含む。
【０２１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２１５】
６０  電話網、７０  ネットワーク、１００  入力部、１０２  変更判定部、１０６  報知処理部、１０８  指示判定部、１１０  処理実行部、１１２  モード記憶部、１１４  割当記憶部、１８０，１８０Ａ  プログラム、２０２  信号判定部、２０４  報知処理部、２０６  処理実行部、３００  リモートコントローラー、５００  携帯端末、５１０  制御部、５２０  記憶部、５２２  一時記憶部、５３０  表示部、５３２  ＶＤＰ、５３６  ＶＲＡＭ、５４０  操作部、５５０  記録媒体アクセス部、５５０Ａ  記録媒体挿入部、５５５  記録媒体、５６０，５６２，５６６  通信部、５６４  アンテナ、５７０，５７２  音声出力部、５７４  音声入力部、５７５  ブザー、５７６  ＬＥＤ、５７８  撮像部、５７９  振動部、６００  被制御装置、６０２  アンテナ、６０５  チューナ、６０７  データ処理部、６１０  制御部、６２０  記憶部、６２２  一時記憶部、６３０  表示部、６３２  ＶＤＰ、６３６  ＶＲＡＭ、６４０  操作部、６６０，６６２  通信部、６７０  音声出力部、６７５  ブザー、６７９  計時部、６８０  ＲＣ信号受信部、１０００  制御システム。
【図１】
2010259046.tif 000003
【図２】
2010259046.tif 000004
【図３】
2010259046.tif 000005
【図４】
2010259046.tif 000006
【図５】
2010259046.tif 000007
【図６】
2010259046.tif 000008
【図７】
2010259046.tif 000009
【図８】
2010259046.tif 000010
【図９】
2010259046.tif 000011
【図１０】
2010259046.tif 000012
【図１１】
2010259046.tif 000013